(57)【要約】【課題】図書館側は貸出データの秘密保守義務に反することなく、利用者に書誌データを送付することができ、また、利用者は、個人端末や携帯端末上で、借りた図書の書誌事項を確認することができ、さらにそれをデータとして再利用できる図書貸出情報配信システムを提供する。【解決手段】この図書貸出情報配信システムは、所蔵する各図書について図書の書誌事項を含む図書情報を格納する目録データベース１６と、貸し出す図書とその図書の利用者を指定する貸出入力手段１１と、貸し出し図書の書誌事項を目録データベース１６から取り出す書誌事項抽出手段１５と、この取り出した書誌事項を利用者へ送信するメール送付手段１７とを備える。【選択図】　　　　図２
2004110258.tif 000002
【特許請求の範囲】
【請求項１】
所蔵する各図書について図書の書誌事項を含む図書情報を格納する目録データベースと、貸し出す図書とその図書の利用者を指定する貸出入力手段と、前記貸し出し図書の書誌事項を前記目録データベースから取り出す書誌事項抽出手段と、この取り出した書誌事項を前記利用者へ送信するメール送付手段とを備えることを特徴とする図書貸出情報配信システム。
【請求項２】
所蔵する各図書について図書の書誌事項を含む図書情報を格納する目録データベースと、貸出した図書とその借り出した利用者の情報を記録する貸出記録データベースと、前記貸出記録データベースを参照して、入力された返却図書の利用者を特定する返却入力手段と、前記返却図書の書誌事項を前記目録データベースから取り出す書誌事項抽出手段と、この取り出した書誌事項を前記利用者へ送信するメール送付手段とを備えることを特徴とする図書貸出情報配信システム。
【請求項３】
所蔵する各図書について図書の書誌事項を含む図書情報を格納する目録データベースと、貸出した図書とその借り出した利用者および貸出日等の情報を記録する貸出記録データベースと、前記貸出記録データベースを定期的に監視して、定期期間内に貸し出した図書とその利用者を抽出する貸出監視手段と、前記貸出監視手段で抽出された貸出図書の書誌事項を前記目録データベースから取り出す書誌事項抽出手段と、この取り出した書誌事項を前記貸出監視手段で抽出された利用者へ送信するメール送付手段とを備えることを特徴とする図書貸出情報配信システム。
【請求項４】
貸し出す図書とその図書の利用者を指定し、所蔵する各図書について図書の書誌事項を含む図書情報を格納する目録データベースから前記貸し出し図書の書誌事項を取り出し、この取り出した書誌事項を前記利用者へ送信することを特徴とする図書貸出情報配信方法。
【請求項５】
貸出した図書とその借り出した利用者の情報を記録する貸出記録データベースを参照して、入力した返却図書の利用者を特定し、所蔵する各図書について図書の書誌事項を含む図書情報を格納する目録データベースから前記返却図書の書誌事項を取り出し、この取り出した書誌事項を前記利用者へ送信することを特徴とする図書貸出情報配信方法。
【請求項６】
貸出した図書とその借り出した利用者および貸出日等の情報を記録する貸出記録データベースを定期的に監視して、定期期間内に貸し出した図書とその利用者を抽出し、所蔵する各図書について図書の書誌事項を含む図書情報を格納する目録データベースから前記抽出された貸出図書の書誌事項を取り出し、この取り出した書誌事項を前記抽出された利用者へ送信することを特徴とする図書貸出情報配信方法。
【請求項７】
コンピュータに、請求項１乃至３のいずれか１に記載の図書貸出情報配信システムとして機能させるためのプログラム。
【請求項８】
請求項７に記載のプログラムを記録したコンピュータ読み取り可能な記録媒体。
【発明の詳細な説明】
【０００１】
【発明の属する技術分野】
本発明は、図書館情報管理システムの閲覧管理において、利用者の借り出した図書に関する情報を配信する図書貸出情報配信システム、図書貸出情報配信方法、プログラムおよび記録媒体に関する。
【０００２】
【従来の技術】
図書館の利用者で、自分がどのような資料を借りたのかを、そのつど記録にとどめる人は少ない。しかし、図書館をよく利用する利用者からは自分の読書履歴をみたいという要望がある。例えば、この前読んだ本は何というタイトルだったかを知りたい場合には、読書履歴を記録していなければ思い出すことは難しい。
【０００３】
一方、図書館側では利用者の貸出および返却の履歴を保管管理しているが、利用者が図書館へ問い合わせてもプライバシー保護の観点から、通常は「返却した時に記録は破棄されます」という回答しか得られない。
【０００４】
このような問題点を解決するために、特許文献１の「読書支援システム」の技術では、少なくとも図書館所蔵の図書を利用する場合には利用者個人が所有するカード上に自動的に履歴情報を記録して、利用者が読書履歴を作成する手間を省くとともに、利用者のプライバシーを保護している。
【０００５】
【特許文献１】
特開２０００−２９８９５号公報
【０００６】
【発明が解決しようとする課題】
しかしながら、上記の特許文献１の技術では、読書履歴情報がカードに記録されているため、その情報を読み取るための装置が必要となってくる。
そのため、カードに記録された読書履歴情報を容易に再利用することができない。
【０００７】
本発明は、上述の実情を考慮してなされたものであって、図書館側は貸出データの秘密保守義務に反することなく、利用者に書誌データを送付することができ、また、利用者は、個人端末や携帯端末上で、借りた図書の書誌事項を確認することができ、さらにそれをデータとして再利用することができる図書貸出情報配信システム、図書貸出情報配信方法、図書貸出情報配信システムの機能を実行するためのプログラムおよびそのプログラムを記録したコンピュータ読み取り可能な記録媒体を提供することを目的とする。
【０００８】
【課題を解決するための手段】
上述の課題を解決するために、本発明の請求項１の図書貸出情報配信システムは、所蔵する各図書について図書の書誌事項を含む図書情報を格納する目録データベースと、貸し出す図書とその図書の利用者を指定する貸出入力手段と、前記貸し出し図書の書誌事項を前記目録データベースから取り出す書誌事項抽出手段と、この取り出した書誌事項を前記利用者へ送信するメール送付手段とを備えることを特徴とする。
【０００９】
また、本発明の請求項２の図書貸出情報配信システムは、所蔵する各図書について図書の書誌事項を含む図書情報を格納する目録データベースと、貸出した図書とその借り出した利用者の情報を記録する貸出記録データベースと、前記貸出記録データベースを参照して、入力した返却図書の利用者を特定する返却入力手段と、前記返却図書の書誌事項を前記目録データベースから取り出す書誌事項抽出手段と、この取り出した書誌事項を前記利用者へ送信するメール送付手段とを備えることを特徴とする。
【００１０】
また、本発明の請求項３の図書貸出情報配信システムは、所蔵する各図書について図書の書誌事項を含む図書情報を格納する目録データベースと、貸出した図書とその借り出した利用者および貸出日等の情報を記録する貸出記録データベースと、前記貸出記録データベースを定期的に監視して、定期期間内に貸し出した図書とその利用者を抽出する貸出監視手段と、前記貸出監視手段で抽出された貸出図書の書誌事項を前記目録データベースから取り出す書誌事項抽出手段と、この取り出した書誌事項を前記貸出監視手段で抽出された利用者へ送信するメール送付手段とを備えることを特徴とする。
【００１１】
また、本発明の請求項４の図書貸出情報配信方法は、貸し出す図書とその図書の利用者を指定し、所蔵する各図書について図書の書誌事項を含む図書情報を格納する目録データベースから前記貸し出し図書の書誌事項を取り出し、この取り出した書誌事項を前記利用者へ送信することを特徴とする。
【００１２】
また、本発明の請求項５の図書貸出情報配信方法は、貸出した図書とその借り出した利用者の情報を記録する貸出記録データベースを参照して、入力した返却図書の利用者を特定し、所蔵する各図書について図書の書誌事項を含む図書情報を格納する目録データベースから前記返却図書の書誌事項を取り出し、この取り出した書誌事項を前記利用者へ送信することを特徴とする。
【００１３】
また、本発明の請求項６の図書貸出情報配信方法は、貸出した図書とその借り出した利用者および貸出日等の情報を記録する貸出記録データベースを定期的に監視して、定期期間内に貸し出した図書とその利用者を抽出し、所蔵する各図書について図書の書誌事項を含む図書情報を格納する目録データベースから前記抽出された貸出図書の書誌事項を取り出し、この取り出した書誌事項を前記抽出された利用者へ送信することを特徴とする。
【００１４】
また、本発明の請求項７のプログラムは、コンピュータに、請求項１乃至３のいずれか１に記載の図書貸出情報配信システムとして機能させるためのプログラムである。
また、本発明の請求項８の記録媒体は、請求項７に記載のプログラムを記録したコンピュータ読み取り可能な記録媒体である。
【００１５】
以上の構成により、利用者のメールアドレスに、その利用者に貸し出した書誌事項を送付することによって、利用者は、個人端末や携帯端末上で、借りた図書の書誌事項を確認することができ、さらにそれをデータとして再利用することができる。
また、利用者が資料を貸出または返却したときや貸出中のときに利用者のメールアドレスに書誌事項を送付することによって、図書館側は貸出データの秘密保守義務に反することなく、利用者に書誌データを送付することができる。
【００１６】
【発明の実施の形態】
以下、図面を参照して本発明に係る好適な実施形態を説明する。
図１は、本実施形態に係る図書貸出情報配信システムの全体構成を示すブロック図であり、同図に示すように、本実施形態に係る図書貸出情報配信システムは、１台以上の業務用端末２０、１台以上の利用者端末３０と、閲覧管理サーバ１０とを、インターネットやイントラネットなどのネットワーク４０を介して通信可能に接続して構成される。
【００１７】
業務用端末２０は、利用者証の利用者ＩＤや図書に貼付された図書ＩＤを読み込むためのバーコードリーダを備えた図書館の職員が操作するコンピュータである。
【００１８】
利用者端末３０は、ネットワーク４０へ接続して電子メールを受信できるコンピュータ、ＰＤＡ（Ｐｅｒｓｏｎａｌ　Ｄｉｇｉｔａｌ　Ａｓｓｉｓｔａｎｔ）や携帯電話等である。
【００１９】
閲覧管理サーバ１０は、業務用端末２０で利用者の図書について貸出または返却処理したときに、その図書の書誌事項を当該利用者の利用者端末３０へ電子メールとして配信する。
または、閲覧管理サーバ１０は、一定期間ごとに貸出の履歴を監視して、その期間内に貸出処理した利用者の利用者端末３０に対して、処理された図書の書誌事項を電子メールとして配信する。
【００２０】
これにより、利用者は、個人端末や携帯端末上で、借りた図書の書誌事項を確認することができ、さらにそれをデータとして再利用することができる。
また、利用者が資料を貸出または返却したときや貸出中のときに利用者のメールアドレスに書誌事項を送付するので、図書館側は貸出データの秘密保守義務に反することなく、利用者に書誌データを送付することができる。
【００２１】
＜実施形態１＞
図２は、本発明の実施形態１に係る閲覧管理サーバ１０の機能構成を示すブロック図であり、同図に示すように、閲覧管理サーバ１０は、貸出入力手段１１、貸出記録データベース（ＤＢ）１４、書誌事項抽出手段１５、目録データベース（ＤＢ）１６、メール送付手段１７、利用者データベース（ＤＢ）１８とを含んでいる。
【００２２】
利用者が図書を借り出したいときには、図書館の貸出担当者へ利用者証と借りる図書を提出する。
貸出担当者は業務用端末２０から閲覧管理サーバ１０の貸出入力手段１１を呼び出し、業務用端末２０に備えられたバーコードリーダを用いて利用者証に記録された利用者ＩＤおよび図書に貼付された図書ＩＤを読み込ませ、貸出処理を依頼する。
貸出入力手段１１は、この利用者ＩＤと図書ＩＤとを受信し、貸出日、返却予定日等の情報を追加して貸出記録ＤＢ１４へ累積する。
貸出記録ＤＢ１４は、少なくとも次のような情報を１冊の図書ごとに格納している。
図書ＩＤ、図書名、利用者ＩＤ、氏名、貸出日、返却予定日、返却日等
【００２３】
次に、閲覧管理サーバ１０は、書誌事項抽出手段１５を起動して、入力された図書ＩＤを引き渡す。
書誌事項抽出手段１５は、図書ＩＤをキーにして目録ＤＢ１６を検索し、該当する図書の書誌事項や所蔵情報を取り出す。
目録ＤＢ１６は、次のような書誌情報や所蔵情報を図書ＩＤごとに格納している。
図書ＩＤ、図書の書名、著者名、出版、刊行年、シリーズ名、
出版国、本文を記述した言語、所蔵、請求記号等
【００２４】
続いて、閲覧管理サーバ１０は、メール送付手段１７を起動し、入力された利用者ＩＤと図書の書誌事項とを引き渡す。
メール送付手段１７は、利用者ＩＤをキーとして利用者ＤＢ１８を検索し、この利用者がこの書誌事項送付サービスを希望している場合には、電子メールアドレスを取り出し、この電子メールアドレスへ図３のような形式で借り出した図書の書誌事項および所蔵情報を送信する。
利用者ＤＢ１８は、少なくとも次の情報を利用者ごとに格納している。
利用者ＩＤ、氏名、書誌事項送付サービスの利用可否、
書誌事項送付先の電子メールアドレス等
【００２５】
＜実施形態２＞
実施形態１は、図書の貸出の時に書誌事項等を送信するようにしているが、図書の返却時に送信するように構成しても同様な効果がある。
図４は、本発明の実施形態２に係る閲覧管理サーバ１０の機能構成を示すブロック図であり、同図に示したように、閲覧管理サーバ１０は、返却入力手段１２、貸出記録データベース（ＤＢ）１４、書誌事項抽出手段１５、目録データベース（ＤＢ）１６、メール送付手段１７、利用者データベース（ＤＢ）１８とを含んでいる。
これらの構成要素のうち実施形態１を同じ機能を有するものには同じ符号をつけ、その機能については相違点のみ説明する。
【００２６】
利用者が図書を返却したいときには、返却する図書を図書館の貸出担当者へ提出する。
貸出担当者は業務用端末２０から閲覧管理サーバ１０の返却入力手段１２を呼び出し、業務用端末２０に備えられたバーコードリーダを用いて図書に貼付された図書ＩＤを読み込ませ、返却処理を依頼する。
返却入力手段１２は、この図書ＩＤをキーにして貸出記録ＤＢ１４を検索し、利用者ＩＤを取り出すとともに、その貸出記録へ返却日を追加して貸出記録ＤＢ１４を更新する。
【００２７】
この利用者ＩＤと図書ＩＤをもとに、実施形態１と同様に書誌事項抽出手段１５およびメール送付手段１７を起動して、該当利用者へ図３の形式で書誌事項等の電子メールを送信する。
【００２８】
＜実施形態３＞
実施形態１または実施形態２では、利用者が図書の貸出や返却したときに、その利用者へのみ書誌事項等を送信するようにしている。
本実施形態３は、一定時間内に図書を借り出した利用者を監視し、その時間内に利用した利用者へ図書の書誌事項等を送信するように構成する。この場合でも、上述の実施形態１および実施形態２と同様の効果がある。
【００２９】
図５は、本発明の実施形態３に係る閲覧管理サーバ１０の機能構成を示すブロック図であり、同図に示したように、閲覧管理サーバ１０は、貸出監視手段１３、貸出記録データベース（ＤＢ）１４、貸出データファイル１９、書誌事項抽出手段１５、目録データベース（ＤＢ）１６、メール送付手段１７、利用者データベース（ＤＢ）１８とを含んでいる。
これらの構成要素のうち実施形態１を同じ機能を有するものには同じ符号をつけ、その機能については相違点のみ説明する。
【００３０】
閲覧管理サーバ１０は、一定時間ごとに貸出監視手段１３を起動する。例えば、１日ごとまたは１月ごとに閉館時に起動する。
貸出監視手段１３は、貸出記録ＤＢ１４を参照して、前回以降に記録された貸出記録を検索する。検索された結果の利用者ＩＤおよび図書ＩＤとを対として貸出データファイル１９へ格納する。
閲覧管理サーバ１０は、貸出データファイル１９が空の場合には、次の監視時間まで待ちに入る。
【００３１】
一方、閲覧管理サーバ１０は、貸出データファイル１９が空でなければ次の処理を行わせてから、次の監視時間まで待ちに入る。
（１）貸出データファイル１９から書誌事項を送信していない利用者ＩＤと図書ＩＤの対を取り出す。
（２）この対に対して、書誌事項抽出手段１５を起動させて、その図書ＩＤの書誌事項等を取り出す。
（３）この書誌事項等を図３の形式でメール送付手段１７により利用者のメールアドレスへ電子メールを送信する。
（４）これらの（１）から（３）の処理を貸出データファイル１９が空になるまで繰り返す。
【００３２】
上述の実施形態１、実施形態２および実施形態３を単独ではなく、適宜組み合わせて構成するようにしてもよい。
また、上述の実施形態では、貸出図書の書誌事項を電子メールで利用者へ配信するようにしたが、配信方法としてＦＡＸや印刷形式で郵送するようにしてもよい。
【００３３】
＜実施形態４＞
さらに、本発明は上述した実施形態のみに限定されたものではない。上述した実施形態の図書貸出情報配信システムを構成する各機能をそれぞれプログラム化し、あらかじめＣＤ−ＲＯＭ等の記録媒体に書き込んでおき、このＣＤ−ＲＯＭをＣＤ−ＲＯＭドライブのような媒体駆動装置を搭載したコンピュータに装着して、これらのプログラムをコンピュータのメモリあるいは記憶装置に格納し、それを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
【００３４】
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）等のいずれであってもよい。
【００３５】
また、ロードしたプログラムを実行することにより上述した実施形態の機能が実現されるだけでなく、そのプログラムの指示に基づき、オペレーティングシステム等が実際の処理の一部または全部を行い、その処理によって上述した実施形態の機能が実現される場合も含まれる。
【００３６】
また、上述したプログラムをサーバコンピュータの磁気ディスク等の記憶装置に格納しておき、インターネット等の通信網で接続された利用者のコンピュータからダウンロード等の形式で頒布する場合、このサーバコンピュータの記憶装置も本発明の記録媒体に含まれる。
【００３７】
【発明の効果】
以上説明したように本発明によれば、利用者のメールアドレスに、その利用者に貸し出した書誌事項を送付することによって、利用者は、個人端末や携帯端末上で、借りた図書の書誌事項を確認することができ、さらにそれをデータとして再利用することができる。
【００３８】
また、利用者が資料を貸出または返却したときや貸出中のときに利用者のメールアドレスに書誌事項を送付することによって、図書館側は貸出データの秘密保守義務に反することなく、利用者に書誌データを送付することができる。
【図面の簡単な説明】
【図１】本実施形態に係る図書貸出情報配信システムの全体構成を示すブロック図である。
【図２】本発明の実施形態１に係る閲覧管理サーバの機能構成を示すブロック図である。
【図３】図書の貸出時に配信される書誌事項等の電子メールの電文例である。
【図４】本発明の実施形態２に係る閲覧管理サーバの機能構成を示すブロック図である。
【図５】本発明の実施形態３に係る閲覧管理サーバの機能構成を示すブロック図である。
【符号の説明】
１０…閲覧管理サーバ、１１…貸出入力手段、１２…返却入力手段、１３…貸出監視手段、１４…貸出記録ＤＢ、１５…書誌事項抽出手段、１６…目録ＤＢ、１７…メール送付手段、１８…利用者ＤＢ、１９…貸出データファイル、２０…業務用端末、３０…利用者端末、４０…ネットワーク。
【図１】
2004110258.tif 000003
【図２】
2004110258.tif 000004
【図３】
2004110258.tif 000005
【図４】
2004110258.tif 000006
【図５】
2004110258.tif 000007